(57)【要約】【課題】データ駆動ブロックのデータパッドピッチを最適化して部分ごとに異なるように設計することで、ミスアライン現象を防止するのに適した液晶表示装置を提供する。【解決手段】上・下部基板３０，３１と、これら上・下部基板３０，３１の間に充填された液晶層とから構成される液晶パネル４０と、前記下部基板３１のエッジ領域に複数個のゲートドライバーから構成されるゲート駆動ブロック３２と、データＴＣＰ３３によってソース印刷回路基板３４及び前記下部基板３１にそれぞれ連結された複数個のデータドライバーから構成されるデータ駆動ブロック３５と、前記データ駆動ブロック３５のデータ信号を前記液晶パネル４０のデータラインに伝達するために、前記データＴＣＰ３３上の各部分ごとにデータパッドのピッチが異なるように設計されたデータパッド部３９と、を含んで液晶表示装置を構成する。【選択図】図４
2007122054.tif 000002
【特許請求の範囲】
【請求項１】
上・下部基板と、これら上・下部基板の間に充填された液晶層とから構成される液晶パネルと、
前記下部基板のエッジ領域に複数個のゲートドライバーから構成されるゲート駆動ブロックと、
データＴＣＰによってソース印刷回路基板及び前記下部基板にそれぞれ連結された複数個のデータドライバーから構成されるデータ駆動ブロックと、
前記データ駆動ブロックのデータ信号を前記液晶パネルのデータラインに伝達するために、前記データＴＣＰ上の各部分ごとにデータパッドのピッチが異なるように設計されたデータパッド部と、を含むことを特徴とする液晶表示装置。
【請求項２】
前記データパッドのピッチは、中央部から縁部に行くほど広く設計されることを特徴とする請求項１に記載の液晶表示装置。
【請求項３】
前記中間領域におけるデータパッド間の間隔は、縁部領域における前記データパッド間の間隔より狭く設計されることを特徴とする請求項２に記載の液晶表示装置。
【請求項４】
前記ゲート駆動ブロックと前記データ駆動ブロックとを連結するＩＣは、可撓性印刷回路またはチップオンフィルムによって構成されることを特徴とする請求項１に記載の液晶表示装置。
【請求項５】
前記データパッドは、所定幅を有して構成されることを特徴とする請求項１に記載の液晶表示装置。
【請求項６】
前記上・下部基板を合着させるために、前記上・下部基板の間の縁部には、シールラインがさらに含まれることを特徴とする請求項１に記載の液晶表示装置。
【請求項７】
上・下部基板と、これら上・下部基板の間に充填された液晶層とから構成される液晶パネルと、
前記下部基板のエッジ領域に複数個のゲートドライバーから構成されるゲート駆動ブロックと、
データＴＣＰによってソース印刷回路基板及び前記下部基板にそれぞれ連結された複数個のデータドライバーから構成されるデータ駆動ブロックと、
前記データ駆動ブロックのデータ信号を前記液晶パネルのデータラインに伝達するために、データパッド部のピッチが中間領域から縁部領域に行くほど非線形的に増加するように、前記データＴＣＰ上に設計されるデータパッド部と、を含むことを特徴とする液晶表示装置。
【請求項８】
前記中間領域におけるデータパッド間の間隔は、縁部領域における前記データパッド間の間隔より狭く設計されることを特徴とする請求項７に記載の液晶表示装置。
【請求項９】
前記ゲート駆動ブロックと前記データ駆動ブロックとを連結するＩＣは、可撓性印刷回路またはチップオンフィルムによって構成されることを特徴とする請求項７に記載の液晶表示装置。
【請求項１０】
前記データパッドは、所定幅を有して構成されることを特徴とする請求項７に記載の液晶表示装置。
【発明の詳細な説明】
【技術分野】
【０００１】
本発明は、液晶表示装置に関するもので、特に、データ駆動ブロックのパッドピッチを最適化して部分ごとに異なるように設計することで、ミスアライン現象を防止するに適した液晶表示装置に関するものである。
【背景技術】
【０００２】
最近、情報化社会が発展するにつれて、表示装置に対する要求も多様な形態で漸増している。さらに、このような要求に応じて、ＬＣＤ（Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、ＥＬＤ（Ｅｌｅｃｔｒｏ  Ｌｕｍｉｎｅｓｃｅｎｔ  Ｄｉｓｐｌａｙ）、ＶＦＤ（Ｖａｃｕｕｍ  Ｆｌｕｏｒｅｓｃｅｎｔ  Ｄｉｓｐｌａｙ）などの多様な平板表示装置が研究されてきたし、その一部は、既に多様な装備で表示装置として活用されている。
【０００３】
上記の平板表示装置のうち、現在、優れた画質、軽量、薄型、低消費電力などの特徴及び長所により、移動型画像表示装置の用途として、ＣＲＴ（Ｃａｔｈｏｄｅ  Ｒａｙ  Ｔｕｂｅ）の代わりにＬＣＤが最も多く用いられており、ＬＣＤは、ノートブックコンピュータのモニターなどの移動型の用途以外に、放送信号を受信してディスプレイするテレビ及びコンピュータのモニターなどにも開発されている。
【０００４】
以下、添付の図面に基づいて、従来の液晶表示装置を説明する。
【０００５】
図１は、従来の液晶表示装置のレイアウト図で、図２は、従来のデータ駆動ブロックのパッドピッチを示す図である。
【０００６】
従来の液晶表示装置は、図１及び図２に示すように、上・下部基板１０，１１と、これら上・下部基板１０，１１の間に充填された液晶層（図示せず）とから構成された液晶パネル２０と、下部基板１１のエッジ領域に複数個のゲートドライバーから構成されたゲート駆動ブロック１２と、データＴＣＰ１３によってソース印刷回路基板１４にそれぞれ連結される複数個のドライバーから構成されたデータ駆動ブロック１５と、前記上・下部基板１０，１１の間の縁部に形成されて上・下部基板１０，１１を合着させるシールライン１６と、を含んで構成されている。
【０００７】
前記ゲート駆動ブロック１２とデータ駆動ブロック１５とを連結するＩＣは、可撓性印刷回路（Ｆｌｅｘｉｂｌｅ  Ｐｒｉｎｔｅｄ  Ｃｉｒｃｕｉｔ：ＦＰＣ）またはチップオンフィルム（Ｃｈｉｐ  Ｏｎ  Ｆｉｌｍ：ＣＯＦ）などの方法を用いて構成される。図１は、ゲートＣＯＦを適用した例を示す図である。
【０００８】
さらに、前記ゲート駆動ブロック１２及びデータ駆動ブロック１５に制御信号及び画像情報を出力するタイミング制御部（図示せず）が備わっている。
【０００９】
前記液晶パネル２０の内部には、画像が表示される画素部２１が定義されている。また、前記下部基板１１には、垂直に交差してマトリックス状の画素領域を定義する複数個のゲートライン及びデータラインが形成され、これら各ゲートライン及びデータラインによって定義された各画素領域には複数個の画素電極が形成され、前記ゲートラインとデータラインとの交差部分には、前記ゲートラインの信号によって前記データラインの信号を各画素電極に印加する複数個の薄膜トランジスタ（ＴＦＴ）が形成される。
【００１０】
前記薄膜トランジスタは、ゲートラインの一方側から突出したゲート電極と、該ゲート電極を含む全面に形成されたゲート絶縁膜と、ゲート電極を含む上部にオーバーラップされた活性層と、前記データラインの一方側及びゲート電極の一方側にオーバーラップされたソース電極と、前記ソース電極と離隔したドレーン電極とから構成される。
【００１１】
そして、前記データラインを含む下部基板には、第１コンタクトホールを有する保護膜がドレーン電極に形成され、第１コンタクトホールを通してドレーン電極と画素電極とがコンタクトされる。
【００１２】
そして、上部基板１０には、図面に示していないが、ブラックマトリックスによって画素領域別に分離・塗布されたカラーフィルター層と、前記下部基板の画素電極の相手電極である共通電極とが備わる。
【００１３】
上記のように構成された液晶表示装置において、液晶の駆動は、上・下部基板１０，１１の間に構成された共通電極及び画素電極に電圧が印加されて行われる。
【００１４】
前記データ駆動ブロック１５には、データ信号を液晶パネル２０のデータラインに伝達するためのデータパッド部１９が備わる。
【００１５】
このとき、データパッド部１９は、図２に示すように、各データＴＣＰ１３上に同一のピッチを有して形成される。すなわち、データパッド部１９には、複数個のデータパッド２３が同一の幅及び間隔を有して形成される。
【００１６】
図中、未説明符号‘１８'は、データチップである。
【発明の開示】
【発明が解決しようとする課題】
【００１７】
しかしながら、上記のようにデータパッド部１９が同一のピッチを有して構成される場合、前記データ駆動ブロック１５の各データＴＣＰ１３を下部基板１１のパッドにボンディングするとき、データパッド部１９の部分膨脹率に差が発生するので、下部基板１１とのボンディング時にミスアラインされる憂いがある。
【００１８】
本発明は上記の問題点を解決するためのもので、その目的は、データ駆動ブロックのデータパッドピッチを最適化して部分ごとに異なるように設計することで、ミスアライン現象を防止するのに適した液晶表示装置を提供することにある。
【課題を解決するための手段】
【００１９】
上記のような目的を達成するための本発明に係る液晶表示装置は、上・下部基板と、これら上・下部基板の間に充填された液晶層とから構成される液晶パネルと、前記下部基板のエッジ領域に複数個のゲートドライバーから構成されるゲート駆動ブロックと、データＴＣＰによってソース印刷回路基板及び前記下部基板にそれぞれ連結された複数個のデータドライバーから構成されるデータ駆動ブロックと、前記データ駆動ブロックのデータ信号を前記液晶パネルのデータラインに伝達するために、前記データＴＣＰ上の各部分ごとにデータパッドのピッチが異なるように設計されたデータパッド部と、を含むことを特徴とする。
【００２０】
前記データパッドのピッチは、中央部から縁部に行くほど広く設計されることを特徴とする。
【００２１】
前記中間領域におけるデータパッド間の間隔は、縁部領域における前記データパッド間の間隔より狭く設計されることを特徴とする。
【００２２】
さらに、データパッド部のピッチは、中間領域から縁部領域に行くほど非線形的に増加するように設計されることを特徴とする。
【発明の効果】
【００２３】
本発明に係る液晶表示装置は、データパッドのピッチを中央部から縁部に行くほど広く設計することで、ファインピッチで発生しうるミスアライン現象を補完できるという効果がある。
【００２４】
また、領域別に分けてデータパッドのピッチを増加・減少させることで、データ駆動ブロックの全体大きさを容易に縮小できるとともに、縮小時の材料原価を節減できるという効果がある。
【発明を実施するための最良の形態】
【００２５】
以下、本発明の好適な実施の形態に係る液晶表示装置について、添付の図面に基づいて詳細に説明する。
【００２６】
図３は、本発明の実施形態に係る液晶表示装置のレイアウト図で、図４は、本発明のデータ駆動ブロックのパッドピッチを示す図で、図５は、本発明の第１及び第２実施形態に係るパッドのピッチ設計を提示したグラフである。
【００２７】
本発明の実施形態に係る液晶表示装置は、図３及び図４に示すように、上・下部基板３０，３１と、これら上・下部基板３０，３１の間に充填された液晶層（図示せず）とから構成された液晶パネル４０と、下部基板３１のエッジ領域に複数個のゲートドライバーから構成されたゲート駆動ブロック３２と、データＴＣＰ３３によってソース印刷回路基板３４にそれぞれ連結される複数個のドライバーから構成されたデータ駆動ブロック３５と、前記上・下部基板３０，３１の間の縁部に形成されて上・下部基板３０，３１を合着させたシールライン３６と、を含んで構成されている。
【００２８】
前記ゲート駆動ブロック３２とデータ駆動ブロック３５とを連結するＩＣは、可撓性印刷回路（Ｆｌｅｘｉｂｌｅ  Ｐｒｉｎｔｅｄ  Ｃｉｒｃｕｉｔ：ＦＰＣ）またはチップオンフィルム（Ｃｈｉｐ  Ｏｎ  Ｆｉｌｍ：ＣＯＦ）などの方法を用いて構成される。図３には、ゲートＣＯＦを適用した例を示した。
【００２９】
さらに、前記ゲート駆動ブロック３２及びデータ駆動ブロック３５に制御信号及び画像情報を出力するタイミング制御部（図示せず）が備わる。
【００３０】
前記液晶パネル４０の内部には、画像が表示される画素部４１が定義されている。そして、図面には示していないが、前記下部基板３１には、垂直に交差してマトリックス状の画素領域を定義する複数個のゲートライン及びデータラインが形成され、これら各ゲートライン及びデータラインによって定義された各画素領域には複数個の画素電極が形成され、前記ゲートラインとデータラインとの交差部分には、前記ゲートラインの信号によって前記データラインの信号を各画素電極に印加する複数個の薄膜トランジスタ（ＴＦＴ）が形成される。
【００３１】
そして、前記薄膜トランジスタは、ゲートラインの一方側から突出したゲート電極と、該ゲート電極を含む全面に形成されたゲート絶縁膜と、ゲート電極を含む上部にオーバーラップされた活性層と、前記データラインの一方側及びゲート電極一方側にオーバーラップされたソース電極と、該ソース電極と離隔したドレーン電極とから構成される。
【００３２】
そして、前記データラインを含む下部基板には、第１コンタクトホールを有する保護膜がドレーン電極に形成され、第１コンタクトホールを通してドレーン電極と画素電極とがコンタクトされる。
【００３３】
そして、上部基板３０には、図面に示していないが、ブラックマトリックスによって画素領域別に分離・塗布されたカラーフィルター層と、前記画素電極の相手電極である共通電極とが備わる。
【００３４】
上記のように構成された液晶表示装置において、液晶の駆動は、上・下部基板３０，３１の間に構成された共通電極及び画素電極に電圧が印加されて行われる。
【００３５】
前記上・下部基板３０の構成は、その一例を提示しただけで、本発明を限定するためのものではない。
【００３６】
前記データ駆動ブロック４５には、データ信号を液晶パネル４０のデータラインに伝達するためのデータパッド部３９が備わる。図中、未説明符号‘３８'は、データチップである。
【００３７】
このとき、データパッド部３９は、図４に示すように、最適化したデータパッド４２のピッチが、各データＴＣＰ３３上の各部分ごとに異なるように設計される。
【００３８】
さらに詳しく、データパッド部３９には、複数個のデータパッド４２が所定幅を有して配列され、前記データパッド４２間の間隔は、各データＴＣＰ３３の中央部から縁部に行くほど広く設計される。
【００３９】
すなわち、データパッド部３９の中間領域を‘α’と定義し、その両側の縁部領域を‘β'と定義した場合、ピッチαがピッチβより小さく設計される。
【００４０】
その結果、中間領域におけるデータパッド４２間の間隔４３ａは、縁部領域におけるデータパッド４２間の間隔４３ｂより狭く設計される。図４において、‘ｄ１’は、α領域におけるピッチで、‘ｄ２’は、β領域におけるピッチである。
【００４１】
上記のように各データＴＣＰ３３において、データパッド４２のピッチは、相対的にミスアライン特性が脆弱な縁部領域では広く設計し、アライン特性が縁部より良好な中間領域では小さく設計することで、ファインピッチ（ｆｉｎｅ  ｐｉｔｃｈ）で発生しうるミスアライン現象を補完できる。
【００４２】
よって、ファインピッチに対応可能となり、データ駆動ブロックの全体大きさを縮小して材料原価を節減できる。
【００４３】
前記データパッド部３９のピッチは、図５に示すように、各データパッド部３９を中間領域及び縁部領域に定義し、縁部領域におけるピッチを中間領域におけるピッチより大きく設計できる。このとき、これら領域は、任意に区分して定義できる。
【００４４】
さらに、データパッド部３９のピッチは、中間領域から縁部領域に行くほど非線形的に増加するように設計することもできる。
【００４５】
以上説明した内容を通して、当業者であれば、本発明の技術思想から離脱しない範囲で多様な変更及び修正が可能であることを理解できるだろう。
【００４６】
したがって、本発明の技術範囲は、上記の実施形態に記載された内容によって限定されるものではなく、特許請求の範囲によって定められるべきである。
【図面の簡単な説明】
【００４７】
【図１】従来の液晶表示装置のレイアウト図である。
【図２】従来のデータ駆動ブロックのパッドピッチを示す図である。
【図３】本発明の実施形態に係る液晶表示装置のレイアウト図である。
【図４】本発明のデータ駆動ブロックのパッドピッチを示す図である。
【図５】本発明の第１及び第２実施形態に係るパッドのピッチ設計を提示したグラフである。
【符号の説明】
【００４８】
３０  上部基板
３１  下部基板
３２  ゲート駆動ブロック
３３  データＴＣＰ
３４  ソース印刷回路基板
３５  データ駆動ブロック
３６  シールライン
３８  データチップ
３９  データパッド部
４０  液晶パネル
４１  画素部
４３ａ，４３ｂ  データパッド間の間隔
【図１】
2007122054.tif 000003
【図２】
2007122054.tif 000004
【図３】
2007122054.tif 000005
【図４】
2007122054.tif 000006
【図５】
2007122054.tif 000007